(57)【要約】【課題】センターコアの多層建築物のように、複数のエレベータシャフトと複数のエレベータホールを平面的に直線状に並べて設置するエレベータの配置計画を採用しているにもかかわらず外壁面から相当離れた位置に来る一番奥のエレベータホールまで自然光が入って照明エネルギーの削減が可能であると共に、スペースが広く感じられる開放的な環境を実現し得る多層建築物を提供する。【解決手段】複数のエレベータシャフト１と複数のエレベータホール２が平面的に直線状に並んで設置された多層建築物において、複数のエレベータシャフト１における並び方向と直角な壁面を透明材料で構成することにより、端部に位置するエレベータシャフト１の壁面に入射した外部からの自然光が複数のエレベータシャフト１を透過して一番奥のエレベータホール２まで届くように構成する。【選択図】図３
2009209593.tif 000002
【特許請求の範囲】
【請求項１】
複数のエレベータシャフトと複数のエレベータホールが平面的に直線状に並んで設置された多層建築物において、複数のエレベータシャフトにおける並び方向と直角な壁面を透明材料で構成することにより、端部に位置するエレベータシャフトの壁面に入射した外部からの自然光が複数のエレベータシャフトを透過して一番奥のエレベータホールまで届くように構成したことを特徴とする多層建築物。
【請求項２】
エレベータホールを隔てて位置する一対のエレベータシャフトから成り、且つ、最上着床階の異なる低層用バンク、中層用バンク、高層用バンクが吹抜けに隣接して吹抜け側からこの順に階段状に設置されていることを特徴とする請求項１に記載の多層建築物。
【請求項３】
低層用バンクのエレベータシャフトには、最下着床階よりも下方にエレベータ機械室を設け、且つ、エレベータシャフトの天井面を透明材料で構成することにより、最上着床階のエレベータホールに対して吹抜けからの自然光が上方からも入射するように構成したことを特徴とする請求項２に記載の多層建築物。
【発明の詳細な説明】
【技術分野】
【０００１】
本発明は、  複数のエレベータシャフトと複数のエレベータホールが平面的に直線状に並んで設置された多層建築物に関する。
【背景技術】
【０００２】
センターコアの多層建築物においては、複数のエレベータを配置する場合、センターコアの内側に複数のエレベータシャフトと複数のエレベータホールを平面的に直線状に並べて設置することが多い。しかし、このエレベータの配置計画では、エレベータ群の周囲がコア壁で取り囲まれた状態となるので、エレベータホールには自然光が入らず、閉鎖的な環境になりがちである。
【０００３】
外壁をガラスカーテンウォールとした多層建築物や、吹抜けを有する多層建築物においては、外壁や吹抜けに面したエレベータがエレベータシャフトや昇降ケージの壁面をガラス等の透明材料で構成したシースルーエレベータとされることがある。例えば、特許文献１には、外周壁及び内周壁が強化ガラスで構成された吹抜けに面してシースルーエレベータを設け、吹抜けを床材で所定階ごとに区画して、複数の展示空間を形成し、シースルーエレベータ内部やエレベータホールから展示空間が見えるようにした多層建築物が開示されている。
【０００４】
このようなシースルーエレベータを複数配置するにあたっては、特許文献２に見られるように、複数のシースルーエレベータを外壁面に沿って並べるか、あるいは、特許文献３に見られるように、吹抜けを取り囲むように複数のシースルーエレベータを並べるといった横並びの配置計画が採用されることが多い。
【０００５】
しかし、このようなエレベータの配置計画では、シースルーエレベータの台数が多い場合、外壁面の横幅や吹抜けの周囲長さの大部分が横並びしたシースルーエレベータによって占有されることになり、多層建築物の平面計画に支障を来たす。
【０００６】
【特許文献１】特開平７−２５５６４号公報
【特許文献２】特開平７−２５５６５号公報
【特許文献３】特開平９−３２３２１号公報
【発明の開示】
【発明が解決しようとする課題】
【０００７】
本発明は、上記の問題点を踏まえてなされたものであって、その目的とするところは、センターコアの多層建築物のように、複数のエレベータシャフトと複数のエレベータホールを平面的に直線状に並べて設置するエレベータの配置計画を採用しているにもかかわらず外壁面から相当離れた位置に来る一番奥のエレベータホールまで自然光が入って照明エネルギーの削減が可能であると共に、スペースが広く感じられる開放的な環境を実現し得る多層建築物を提供することにある。
【課題を解決するための手段】
【０００８】
上記の目的を達成するために本発明が講じた技術手段は次の通りである。即ち、請求項１に記載の発明は、複数のエレベータシャフトと複数のエレベータホールが平面的に直線状に並んで設置された多層建築物において、複数のエレベータシャフトにおける並び方向と直角な壁面を透明材料で構成することにより、端部に位置するエレベータシャフトの壁面に入射した外部からの自然光が複数のエレベータシャフトを透過して一番奥のエレベー
タホールまで届くように構成したことを特徴としている。
【０００９】
請求項２に記載の発明は、請求項１に記載の多層建築物であって、エレベータホールを隔てて位置する一対のエレベータシャフトから成り、且つ、最上着床階の異なる低層用バンク、中層用バンク、高層用バンクが吹抜けに隣接して吹抜け側からこの順に階段状に設置されていることを特徴としている。
【００１０】
請求項３に記載の発明は、請求項２に記載の多層建築物であって、低層用バンクのエレベータシャフトには、最下着床階よりも下方にエレベータ機械室を設け、且つ、エレベータシャフトの天井面を透明材料で構成することにより、最上着床階のエレベータホールに対して吹抜けからの自然光が上方からも入射するように構成したことを特徴としている。
【発明の効果】
【００１１】
請求項１に記載の発明によれば、センターコアの多層建築物のように、複数のエレベータシャフトと複数のエレベータホールを平面的に直線状に並べて設置するエレベータの配置計画を採用しているにもかかわらず、複数のエレベータシャフトにおける並び方向と直角な壁面を透明材料で構成することにより、端部に位置するエレベータシャフトの壁面に入射した外部からの自然光が複数のエレベータシャフトを透過して一番奥のエレベータホールまで届くようにしたので、外壁面から相当離れた位置に来る一番奥のエレベータホールにおいても自然光による快適な明るさが得られ、昼間の照明エネルギーの削減が可能である。
【００１２】
また、複数のエレベータシャフトにおける並び方向と直角な壁面を透明材料で構成することにより、複数のエレベータシャフトが視覚的に連続するため、スペースが広く感じられ、開放的な環境を実現し得る。
【００１３】
請求項２に記載の発明によれば、上記の効果に加え、最上着床階の異なる低層用バンク、中層用バンク、高層用バンクが吹抜けに隣接して吹抜け側からこの順に階段状に設置されているので、どのバンクにも、隣のバンクに遮られない透明な壁面、つまり、吹抜けからの自然光が直接入射する透明な側面が設けられることになり、低層用バンクよりも建物の奥に位置する中層用バンクや高層用バンクにおいても、側面からの採光量を確保できるという効果がある。
【００１４】
請求項３に記載の発明によれば、請求項２の発明による効果に加え、低層用バンクにおいては、最上着床階のエレベータホールに対して吹抜けからの自然光が上方からも入射するので、最上着床階のエレベータホールを自然光によって一層明るくすることができるという効果がある。
【発明を実施するための最良の形態】
【００１５】
以下、本発明の実施形態を図面に基づいて説明する。図１は本発明に係る多層建築物における一般階の横断形状を略示す。この多層建築物は、複数（図示の例では四つ）のエレベータシャフト１と複数（図示の例では二つ）のエレベータホール２が平面的に直線状に並んで設置されており、各エレベータシャフト１における並び方向と直角な壁面をガラス等の透明材料で構成することにより、端部に位置するエレベータシャフト１の壁面に入射した外部からの自然光が複数のエレベータシャフト１を透過して一番奥のエレベータホール２と、複数のエレベータホール２を連絡する通路３の奥まで届くように構成したものである。端部のエレベータシャフト１は、ガラスカーテンウォールから成る透明な外壁に面して設けられるか、或いは、エレベータシャフト１の透明な壁面が建物内外を区画する透明な外壁面となるように設けられる。
【００１６】
各エレベータシャフト１には３台の昇降ケージ４が配置され、３台のエレベータが横並びした状態に構成されている。各エレベータホール２には、両側に位置する３台のエレベータに対する搭乗口が互いに向かい合うように配置され、搭乗口にはガラス等の透明材料で構成したドア（図示せず）が設けられている。５はオフィス等のスペースである。
【００１７】
図２は本発明の他の実施形態を示す。この実施形態は、端部のエレベータシャフト１を吹抜け６に面して設けて、外部の自然光が吹抜け６を経て端部に位置するエレベータシャフト１の壁面に入射するように構成した点に特徴がある。その他の構成は、図１の実施形態と同じであるため、同一構成部材に同一符号を付し、説明を省略する。
【００１８】
これらの構成によれば、図３に破線矢印で示すように、外部（屋外又は吹抜け）からの自然光が複数のエレベータシャフト１を透過して一番奥のエレベータホール２と、複数のエレベータホール２を連絡する通路３の奥まで届くので、外壁面から相当離れた位置に来る一番奥のエレベータホール２や通路３においても自然光による快適な明るさが得られ、昼間の照明エネルギーの削減が可能である。
【００１９】
また、複数のエレベータシャフト１における並び方向と直角な壁面を透明材料で構成することにより、複数のエレベータシャフト１が視覚的に連続するため、スペースが広く感じられ、開放的な環境を実現し得るのである。
【００２０】
尚、上記の各実施形態においては、各エレベータシャフト１における並び方向と直角な壁面だけを透明材料で構成したが、エレベータシャフト１における並び方向と直角な壁面だけでなく、その２面を含む３面又はエレベータシャフト１の四周の壁面全部を透明材料で構成してもよい。また、昇降ケージ４の壁面は不透明であってもよく、少なくとも、エレベータシャフト１の透明な壁面に対向する２面を透明材料で構成して、シースルーの昇降ケージ４としてもよい。
【００２１】
図４〜図７は、本発明の他の実施形態を示す。この実施形態においては、エレベータホール２を隔てて位置する一対のエレベータシャフト１ａ，１ｂから成り、且つ、最上着床階の異なる低層用バンクＡ、中層用バンクＢ、高層用バンクＣが３面を透明ガラスで囲んだ吹抜け６に隣接して吹抜け６側からこの順に階段状に設置されている。
【００２２】
従って、低層部においては、図５に示すように、三対（６個）のエレベータシャフト１ａ，１ｂと三つのエレベータホール２が平面的に直線状に並んで設置され、中層部においては、図６に示すように、二対（４個）のエレベータシャフト１ａ，１ｂと二つのエレベータホール２が平面的に直線状に並んで設置され、高層部においては、図７に示すように、一対のエレベータシャフト１ａ，１ｂと一つのエレベータホール２が平面的に直線状に並んで設置されることになる。図５に示すように、各エレベータシャフト１ａ，１ｂには３台の昇降ケージ４が配置され、３台のエレベータが横並びした状態に構成されている。３は複数のエレベータホール２を連絡する通路である。各エレベータホール２には、両側に位置する３台のエレベータに対する搭乗口が互いに向かい合うように配置され、搭乗口にはガラス等の透明材料で構成したドア（図示せず）が設けられている。５はオフィス等のスペース、７はトイレットルームである。
【００２３】
低層用バンクＡと中層用バンクＢにおける各対のエレベータシャフト１ａ，１ｂは、エレベータシャフト１ａ，１ｂの並び方向と直角な壁面が全て透明材料で構成されているが、高層用バンクＣにおける一対のエレベータシャフト１ａ，１ｂは、エレベータシャフト１ａ，１ｂの並び方向と直角な壁面のうち、トイレットルーム７との区画壁となる壁面だけが不透明とされ、それ以外が透明材料で構成されている。昇降ケージ４は、少なくとも、エレベータシャフト１ａ，１ｂの透明な壁面に対向する２面を透明材料で構成して、シ
ースルーの昇降ケージ４とされている。
【００２４】
中層用バンクＢと高層用バンクＣにおいては、エレベータシャフト１ａ，１ｂの最上着床階よりも上方にエレベータ機械室８が設けられているが、低層用バンクＡにおいては、エレベータシャフト１ａ，１ｂの最下着床階よりも下方にエレベータ機械室８が設けられている。そして、低層用バンクＡにおいては、エレベータシャフト１ａ，１ｂの天井面９がガラス等の透明材料で構成されており、図４に矢印ｘで示すように、最上着床階のエレベータホール２に対して吹抜け６からの自然光が上方からも入射するように構成されている。
【００２５】
上記の構成によれば、図４と図５に矢印ａで示すように、低層用バンクＡの端部に位置するエレベータシャフト１ａの壁面に入射した吹抜け６からの自然光が、図５に破線矢印で示すように、複数のエレベータシャフト１ａ，１ｂ…を透過して一番奥のエレベータホール２と、高層用バンクＣにおける奥のエレベータシャフト１ｂ内まで届くことになる。
【００２６】
従って、自然光による快適な明るさが得られ、昼間の照明エネルギーの削減が可能であり、しかも、複数のエレベータシャフト１ａ，１ｂ…における並び方向と直角な壁面を透明材料で構成することにより、全てのエレベータシャフト１が視覚的に連続するため、スペースが広く感じられ、開放的な環境を実現し得る。
【００２７】
殊に、最上着床階の異なる低層用バンクＡ、中層用バンクＢ、高層用バンクＣが吹抜け６に隣接して吹抜け６側からこの順に階段状に設置されているので、どのバンクにも、隣のバンクに遮られない透明な壁面、つまり、図４に矢印ａ，ｂ，ｃで示すように、吹抜けからの自然光が直接入射する透明な側面が設けられることになり、低層用バンクＡよりも奥に位置する中層用バンクＢや高層用バンクＣにおいても、側面からの採光量を確保できる。
【００２８】
しかも、低層用バンクＡにおいては、最上着床階のエレベータホール２に対して吹抜け６からの自然光が上方からも入射するので、最上着床階のエレベータホール２を自然光によって一層明るくすることができる。
【００２９】
以上、複数の実施形態について説明したが、本発明は上記の実施形態にのみ限定されるものではなく、本発明の要旨を逸脱しない範囲で種々の実施形態を採用できることは勿論である。
【図面の簡単な説明】
【００３０】
【図１】本発明の実施形態を示す多層建築物の概略横断平面図である。
【図２】本発明の他の実施形態を示す多層建築物の概略横断平面図である。
【図３】作用を説明する多層建築物の要部の概略縦断側面図である。
【図４】本発明の他の実施形態を示す多層建築物の概略縦断側面図である。
【図５】図４の多層建築物における低層部での概略横断平面図である。
【図６】図４の多層建築物における中層部での概略横断平面図である。
【図７】図４の多層建築物における高層部での概略横断平面図である。
【符号の説明】
【００３１】
１，１ａ，１ｂ  エレベータシャフト
２  エレベータホール
３  通路
４  昇降ケージ
５  オフィス等のスペース
６  吹抜け
７  トイレットルーム
８  エレベータ機械室
９  天井面
Ａ  低層用バンク
Ｂ  中層用バンク
Ｃ  高層用バンク
ａ  矢印（自然光）
ｂ  矢印（自然光）
ｃ  矢印（自然光）
ｘ  矢印（自然光）
【図１】
2009209593.tif 000003
【図２】
2009209593.tif 000004
【図３】
2009209593.tif 000005
【図４】
2009209593.tif 000006
【図５】
2009209593.tif 000007
【図６】
2009209593.tif 000008
【図７】
2009209593.tif 000009